(57)【要約】【課題】適切なマルチキャストサービスの運用が可能なマルチキャスト通信方法を提供する。【解決手段】マルチキャスト通信方法では、前記端末１２ａと無線接続する基地局１４と、ＡＳＮＧＷ４２と、前記端末１２ａにマルチキャスト配信するためのマルチキャストルータ１８と、Ｍｃｂｃｓサーバ２４とを備えるマルチキャスト通信システムにおける前記端末がマルチキャストサービスに参加するマルチキャスト通信方法であって、前記端末１２ａにマルチキャスト配信するためのサービスフローの設定処理工程と、前記マルチキャスト配信するための前記ＡＳＮＧＷ４２内のルーティング設定工程と、前記マルチキャストルータ１８のルーティング設定工程と、を有する。【選択図】図１
2014158171.tif 000002
【特許請求の範囲】
【請求項１】
端末と、前記端末と無線接続する基地局と、ＡＳＮＧＷ（Access Service Network Gateway）と、前記端末にマルチキャスト配信するためのマルチキャストルータと、Ｍｃｂｃｓ(Multicast and Broadcast Service)サーバとを備えるマルチキャスト通信システムにおける前記端末がマルチキャストサービスに参加するマルチキャスト通信方法であって、
前記端末にマルチキャスト配信するためのサービスフローの設定処理工程と、
前記マルチキャスト配信するための前記ＡＳＮＧＷ内のルーティング設定工程と、
前記マルチキャストルータのルーティング設定工程と、
を有することを特徴とするマルチキャスト通信方法。
【請求項２】
請求項１記載のマルチキャスト通信方法において、
前記端末の主導で前記端末が前記マルチキャストサービスに参加する場合であって、
前記マルチキャスト配信がＩＰｖ６で行われ、
前記マルチキャストルータのルーティング設定工程がＭＬＤ（Multicast Listener Discovery）プロトコルによって行われ、
前記端末の前記マルチキャストの送受信サービスの利用可否処理工程と、
ＭＬＤプロトコルによる前記端末の前記マルチキャストサービスへの参加要求の通知処理工程と、
前記端末のマルチキャストサービスへの参加登録処理工程と、
を有することを特徴とするマルチキャスト通信方法。
【請求項３】
請求項１記載のマルチキャスト通信方法において、
前記基地局の主導で前記端末が前記マルチキャストサービスに参加する場合であって、
前記マルチキャスト配信がＩＰｖ６で行われ、
前記マルチキャストルータのルーティング設定工程がＭＬＤプロトコルによって行われ、
前記端末の前記マルチキャストの送受信サービスの利用可否処理工程と、
前記基地局による前記端末のマルチキャストサービスへの参加要求の通知処理工程と、
前記端末のマルチキャストサービスへの参加登録処理工程と、
を有することを特徴とするマルチキャスト通信方法。
【請求項４】
請求項１記載のマルチキャスト通信方法において、
前記Ｍｃｂｃｓサーバの主導で前記端末が前記マルチキャストサービスに参加する場合であって、
前記マルチキャスト配信がＩＰｖ６で行われ、
前記マルチキャストルータのルーティング設定工程がＭＬＤプロトコルによって行われ、
前記端末の前記マルチキャストの送受信サービスの利用可否処理工程と、
を有することを特徴とするマルチキャスト通信方法。
【請求項５】
請求項１記載のマルチキャスト通信方法において、
前記端末の主導で前記端末が前記マルチキャストサービスに参加する場合であって、
前記マルチキャスト配信がＩＰｖ４で行われ、
前記マルチキャストルータのルーティング設定工程がＩＧＭＰ（Internet Group Management Protocol）によって行われ、
前記端末の前記マルチキャストの送受信サービスの利用可否処理工程と、
ＩＧＭＰによる前記端末の前記マルチキャストサービスへの参加要求の通知処理工程と、
前記端末のマルチキャストサービスへの参加登録処理工程と、
を有することを特徴とするマルチキャスト通信方法。
【請求項６】
請求項１記載のマルチキャスト通信方法において、
前記基地局の主導で前記端末が前記マルチキャストサービスに参加する場合であって、
前記マルチキャスト配信がＩＰｖ４で行われ、
前記マルチキャストルータのルーティング設定工程がＩＧＭＰによって行われ、
前記端末の前記マルチキャストサービスの利用可否処理工程と、
前記端末の前記マルチキャストサービスへの参加要求の通知処理工程と、
前記端末のマルチキャストサービスへの参加登録処理工程と、
を有することを特徴とするマルチキャスト通信方法。
【請求項７】
請求項１記載のマルチキャスト通信方法において、
前記Ｍｃｂｃｓサーバの主導で前記端末が前記マルチキャストサービスに参加する場合であって、
前記マルチキャスト配信がＩＰｖ４で行われ、
前記マルチキャストルータのルーティング設定工程がＩＧＭＰによって行われ、
前記端末の前記マルチキャストの送受信サービスの利用可否処理工程と、
を有することを特徴とするマルチキャスト通信方法。
【発明の詳細な説明】
【技術分野】
【０００１】
本発明は、ＷｉＭＡＸを利用したマルチキャストサービスにおけるマルチキャスト配信するマルチキャスト通信方法に関する。
【背景技術】
【０００２】
次世代の高速移動体通信方式としてＷｉＭＡＸ(Worldwide Interoperability for Microwave Access)が国際的に注目を集め、複数のネットワークサービスプロバイダでこのＷｉＭＡＸ通信システムを利用したサービスが提供されている。
【０００３】
このＷｉＭＡＸにおけるマルチキャストサービスを提供する標準技術として、Ｍｃｂｃｓ(Multicast and Broadcast Services)が知られている。（非特許文献１参照）。
【先行技術文献】
【非特許文献】
【０００４】
【非特許文献１】WiMAX FORUM 「WiMAX Forum Network Architecture」 WMF-T33-112-R015v01  ２００９年１１月２１日
【発明の概要】
【発明が解決しようとする課題】
【０００５】
しかしながら、非特許文献１に記載されている標準技術では、Ｍｃｂｃｓに対するＩＰマルチキャストのプロトコルとの連携については十分考慮されて無く、適切なマルチキャストサービスの運用が実現できていない。また、Ｍｃｂｃｓに対応していない端末では、マルチキャストサービスを利用することができない。
【０００６】
本発明は、上記の課題を考慮してなされたものであって、適切なマルチキャストサービスの運用が可能なマルチキャスト通信方法を提供することを目的とする。
【課題を解決するための手段】
【０００７】
本発明に係るマルチキャスト通信方法は、端末と、前記端末と無線接続する基地局と、ＡＳＮＧＷ（Access Service Network Gateway）と、前記端末にマルチキャスト配信するためのマルチキャストルータと、Ｍｃｂｃｓ(Multicast and Broadcast Service)サーバとを備えるマルチキャスト通信システムにおける前記端末がマルチキャストサービスに参加するマルチキャスト通信方法であって、前記端末にマルチキャスト配信するためのサービスフローの設定処理工程と、前記マルチキャスト配信するための前記ＡＳＮＧＷ内のルーティング設定工程と、前記マルチキャストルータのルーティング設定工程と、を有することを特徴とする。
【０００８】
前記マルチキャスト通信方法において、前記端末の主導で前記端末が前記マルチキャストサービスに参加する場合であって、前記マルチキャスト配信がＩＰｖ６で行われ、前記マルチキャストルータのルーティング設定工程がＭＬＤ（Multicast Listener Discovery）プロトコルによって行われ、前記端末の前記マルチキャストの送受信サービスの利用可否処理工程と、ＭＬＤプロトコルによる前記端末の前記マルチキャストサービスへの参加要求の通知処理工程と、前記端末のマルチキャストサービスへの参加登録処理工程と、を有することを特徴とする。
【０００９】
前記マルチキャスト通信方法において、前記基地局の主導で前記端末が前記マルチキャストサービスに参加する場合であって、前記マルチキャスト配信がＩＰｖ６で行われ、前記マルチキャストルータのルーティング設定工程がＭＬＤプロトコルによって行われ、前記端末の前記マルチキャストの送受信サービスの利用可否処理工程と、前記基地局による前記端末のマルチキャストサービスへの参加要求の通知処理工程と、前記端末のマルチキャストサービスへの参加登録処理工程と、を有することを特徴とする。
【００１０】
前記マルチキャスト通信方法において、前記Ｍｃｂｃｓサーバの主導で前記端末が前記マルチキャストサービスに参加する場合であって、前記マルチキャスト配信がＩＰｖ６で行われ、前記マルチキャストルータのルーティング設定工程がＭＬＤプロトコルによって行われ、前記端末の前記マルチキャストの送受信サービスの利用可否処理工程と、を有することを特徴とする。
【００１１】
前記マルチキャスト通信方法において、前記端末の主導で前記端末が前記マルチキャストサービスに参加する場合であって、前記マルチキャスト配信がＩＰｖ４で行われ、前記マルチキャストルータのルーティング設定工程がＩＧＭＰ（Internet Group Management Protocol）によって行われ、前記端末の前記マルチキャストの送受信サービスの利用可否処理工程と、ＩＧＭＰによる前記端末の前記マルチキャストサービスへの参加要求の通知処理工程と、前記端末のマルチキャストサービスへの参加登録処理工程と、を有することを特徴とする。
【００１２】
前記マルチキャスト通信方法において、前記基地局の主導で前記端末が前記マルチキャストサービスに参加する場合であって、前記マルチキャスト配信がＩＰｖ４で行われ、前記マルチキャストルータのルーティング設定工程がＩＧＭＰによって行われ、前記端末の前記マルチキャストサービスの利用可否処理工程と、前記端末の前記マルチキャストサービスへの参加要求の通知処理工程と、前記端末のマルチキャストサービスへの参加登録処理工程と、を有することを特徴とする。
【００１３】
前記マルチキャスト通信方法において、前記Ｍｃｂｃｓサーバの主導で前記端末が前記マルチキャストサービスに参加する場合であって、前記マルチキャスト配信がＩＰｖ４で行われ、前記マルチキャストルータのルーティング設定工程がＩＧＭＰによって行われ、前記端末の前記マルチキャストの送受信サービスの利用可否処理工程と、を有することを特徴とする。
【発明の効果】
【００１４】
マルチキャスト通信方法によれば、端末にマルチキャスト配信するためのサービスフローの設定処理工程と、マルチキャスト配信するためのＡＳＮＧＷ内のルーティング設定工程と、マルチキャストルータのルーティング設定工程を備えることにより、マルチキャストサービスへの端末の参加処理を適切に行うことができる。また、Ｍｃｂｃｓに対応していない端末においても、マルチキャストサービスを利用することができる。
【００１５】
また、前記マルチキャスト配信がＩＰｖ６で行われ、前記マルチキャストルータのルーティング設定工程がＭＬＤプロトコルによって行われ、端末の前記マルチキャストの送受信サービスの利用可否処理工程と、ＭＬＤプロトコルによる前記端末の前記マルチキャストサービスへの参加要求の通知処理工程と、前記端末のマルチキャストサービスへの参加登録処理工程と、を有することにより、前記端末の主導で前記端末が前記マルチキャストサービスに参加することができる。
【００１６】
また、前記マルチキャスト配信がＩＰｖ６で行われ、前記マルチキャストルータのルーティング設定工程がＭＬＤプロトコルによって行われ、端末の前記マルチキャストの送受信サービスの利用可否処理工程と、前記基地局による前記端末のマルチキャストサービスへの参加要求の通知処理工程と、前記端末のマルチキャストサービスへの参加登録処理工程と、を有することにより、前記基地局の主導で前記端末が前記マルチキャストサービスに参加することができる。
【００１７】
前記マルチキャスト配信がＩＰｖ６で行われ、前記マルチキャストルータのルーティング設定工程がＭＬＤプロトコルによって行われ、端末の前記マルチキャストの送受信サービスの利用可否処理工程と、を有することにより、前記Ｍｃｂｃｓサーバの主導で前記端末が前記マルチキャストサービスに参加することができる。
【００１８】
前記マルチキャスト配信がＩＰｖ４で行われ、前記マルチキャストルータのルーティング設定工程がＩＧＭＰによって行われ、端末の前記マルチキャストの送受信サービスの利用可否処理工程と、ＩＧＭＰによる前記端末の前記マルチキャストサービスへの参加要求の通知処理工程と、前記端末のマルチキャストサービスへの参加登録処理工程と、を有することにより、前記端末の主導で前記端末が前記マルチキャストサービスに参加することができる。
【００１９】
前記マルチキャスト配信がＩＰｖ４で行われ、前記マルチキャストルータのルーティング設定工程がＩＧＭＰによって行われ、前記端末の前記マルチキャストサービスの利用可否処理工程と、前記端末の前記マルチキャストサービスへの参加要求の通知処理工程と、前記端末のマルチキャストサービスへの参加登録処理工程と、を有することにより、前記基地局の主導で前記端末が前記マルチキャストサービスに参加することができる。
【００２０】
前記マルチキャスト配信がＩＰｖ４で行われ、前記マルチキャストルータのルーティング設定工程がＩＧＭＰによって行われ、前記端末の前記マルチキャストの送受信サービスの利用可否処理工程と、を有することにより、前記Ｍｃｂｃｓサーバの主導で前記端末が前記マルチキャストサービスに参加することができる。
【図面の簡単な説明】
【００２１】
【図１】本発明の第１実施形態に係るマルチキャスト通信システムの説明図である。
【図２】ＭＳ主導ＩＰｖ６マルチキャストの参加手順の説明図である。
【図３】ＭＳ主導ＩＰｖ６マルチキャストの離脱手順の説明図である。
【図４】ＢＳ・ＡＳＮＧＷ主導ＩＰｖ６マルチキャストの参加手順の説明図である。
【図５】ＢＳ・ＡＳＮＧＷ主導ＩＰｖ６マルチキャストの離脱手順の説明図である。
【図６】ＭｃｂｃｓＳｖｒ主導ＩＰｖ６マルチキャストの参加手順の説明図である。
【図７】ＭｃｂｃｓＳｖｒ主導ＩＰｖ６マルチキャストの離脱手順の説明図である。
【図８】本発明の第２実施形態に係るマルチキャスト通信システムの説明図である。
【図９】ＭＳ主導ＩＰｖ４マルチキャストの参加手順の説明図である。
【図１０】ＭＳ主導ＩＰｖ４マルチキャストの離脱手順の説明図である。
【図１１】ＢＳ・ＡＳＮＧＷ主導ＩＰｖ４マルチキャストの参加手順の説明図である。
【図１２】ＢＳ・ＡＳＮＧＷ主導ＩＰｖ４マルチキャストの離脱手順の説明図である。
【図１３】ＭｃｂｃｓＳｖｒ主導ＩＰｖ４マルチキャストの参加手順の説明図である。
【図１４】ＭｃｂｃｓＳｖｒ主導ＩＰｖ４マルチキャストの離脱手順の説明図である。
【図１５】ＩＧＭＰのバージョンが異なる場合の処理手順の説明図である。
【発明を実施するための形態】
【００２２】
＜第１実施形態＞
以下、本発明の第１実施形態について図面を参照して説明する。図１は、本発明のマルチキャスト通信方法が実施される第１実施形態に係るマルチキャスト通信システムの説明図である。
【００２３】
マルチキャスト通信システム１０は、通信機能を有するコンピュータや携帯電話等である端末（ＭＳ）１２ａ〜１２ｄと、前記端末１２ａ〜１２ｄが無線接続する基地局１４と、ＡＳＮＧＷ（Access Service Network Gateway）１６と、マルチキャストルータ１８と、Ｐｄｂ２０と、Ｒａｄｉｕｓサーバ（Ｒａｄｉｕｓ Ｓｖｒ）２２と、Ｍｃｂｃｓサーバ（Ｍｃｂｃｓ Ｓｖｒ）２４とを備える。Ｐｄｂ２０と、Ｒａｄｉｕｓサーバ２２と、Ｍｃｂｃｓサーバ２４とは、公衆回線であるネットワーク３６に接続され、マルチキャストルータ１８を介して、ＡＳＮＧＷ１６と接続されている。
【００２４】
ＡＳＮＧＷ１６は、Ｐｆルータ（Ｐｆｍｉｆ）２６と、Ｍｌｄ（Multicast Listener Discovery）Ｐｒｏｘｙ２８と、ＭｃｂｃｓＰｒｏｘｙ３０と、Ｍｂｓサービスフロー制御部（ＳＦＡ：Service Flow Agent）３２と、Ｇｄｂ３４とを備える。ＭｌｄＰｒｏｘｙ２８は、Ｍｌｄ（Multicast Listener Discovery）プロトコルに関する制御パケットの中継を行う。ＭｃｂｃｓＰｒｏｘｙ３０は、マルチキャストサービスの管理、制御、中継等を行う。また、後述する制御メッセージであるMBS_JOINやMBS_LEAVEは、ＭｃｂｃｓＰｒｏｘｙ３０や図示しないハンドオーバやページング制御に関する処理を行うＭＳＴｈｒｅａｄから送信される。Ｍｂｓサービスフロー制御部３２は、サービスフローに関する処理を行うＳＦＴｈｒｅａｄを備える。Ｇｄｂ３４は、マルチキャストに関する情報の登録、更新、削除等の管理を行うデータベースである。
【００２５】
Ｒａｄｉｕｓサーバ２２は、端末の認証や課金情報の収集・管理を行うサーバである。
【００２６】
＜第１実施形態に係る発明の動作の説明＞
次に、マルチキャスト通信システム１０の動作について、図２〜図７を用いて説明する。
【００２７】
＜ＩＰｖ６端末主導のＪｏｉｎの動作＞
端末１２ａの主導によるＩＰｖ６マルチキャストサービスへの参加手順（Ｊｏｉｎ）を図２を用いて説明する。図２は、ＭＳ主導ＩＰｖ６マルチキャストの参加手順の説明図である。
【００２８】
まず、初期設定として、Ｒａｄｉｕｓサーバ２２とＭｃｂｃｓＰｒｏｘｙ３０との間でマルチキャストサービスの利用可否処理がされる。即ち、Ｒａｄｉｕｓサーバ２２が、ＭｃｂｃｓＰｒｏｘｙ３０に端末１２ａのマルチキャストサービスの利用可否についての情報（Access-Accept）を送信する（ステップＭＳＪＳ１）。
【００２９】
端末１２ａによるマルチキャストサービスへの参加要求の通知処理がされる。即ち、端末１２ａが、基地局１４を介して、ＭＬＤプロトコルによりＭｌｄＰｒｏｘｙ２８にマルチキャストサービスへの参加要求の旨（MLD Report）を送信する（ステップＭＳＪＳ２）。ＭｌｄＰｒｏｘｙ２８は、MLD Reportに基づいて、ＭｃｂｃｓＰｒｏｘｙ３０に端末１２ａの参加要求の旨（MBS_JOIN）を送信する（ステップＭＳＪＳ３）。このMBS_JOINを送信する際には、端末１２ａのＭＡＣアドレス、マルチキャストのグループアドレス、ソースアドレスの情報等も同時に送信される。
【００３０】
端末１２ａのマルチキャストサービスへの参加登録処理がされる。即ち、ＭｃｂｃｓＰｒｏｘｙ３０は、Ｒａｄｉｕｓサーバ２２を介して、Ｍｃｂｃｓサーバ２４に端末１２ａの参加要求の旨（Access-Request）を送信する（ステップＭＳＪＳ４）。Ｍｃｂｃｓサーバ２４では、端末１２ａのマルチキャストサービスへの参加登録処理がされる。このAccess-Requestを送信する際には、端末１２ａのＭＡＣアドレス、マルチキャストのグループアドレス、ソースアドレス及び基地局１４のＩＰアドレス等も同時に送信される。Ｍｃｂｃｓサーバ２４は、前記の端末１２ａの参加要求の旨を照合、承認して、Ｒａｄｉｕｓサーバ２２を介して、ＭｃｂｃｓＰｒｏｘｙ３０にＳＦ（Service Flow）ＩＤを含めてマルチキャストサービスへの参加許可の旨（Access-Accept）を送信する（ステップＭＳＪＳ５）。このマルチキャストサービスへの参加登録処理では、タイマーが設定され、所定時間内にこの処理が完了しなかった場合には、再度のステップＭＳＪＳ４、ＭＳＪＳ５の処理が行われる。
【００３１】
端末１２ａにマルチキャスト配信するために、マルチキャストサービスの対象となるコンテンツ毎に生成されるサービスフローの設定処理がされる。即ち、ＭｃｂｃｓＰｒｏｘｙ３０は、Ｍｂｓサービスフロー制御部３２にサービスフローの生成要求の旨（SFA_MBS_JOIN）を送信する（ステップＭＳＪＳ６）。このサービスフローは、マルチキャストサービスの対象となるコンテンツ毎に生成される。
【００３２】
Ｍｂｓサービスフロー制御部３２は、Ｐｄｂ２０にサービスフローを生成するためのＳＦプロファイルを要求する（ステップＭＳＪＳ７）。Ｐｄｂ２０は、ＳＦＩＤに対応するＳＦプロファイルを生成し、Ｍｂｓサービスフロー制御部３２に送信する（ステップＭＳＪＳ８）。
【００３３】
Ｍｂｓサービスフロー制御部３２は、基地局１４にＳＦプロファイルに基づいてサービスフローを生成する旨（RR_REQ）を送信する（ステップＭＳＪＳ９）。基地局１４は、Ｍｂｓサービスフロー制御部３２にサービスフローを追加する旨（DSA_NOTI）を送信する（ステップＭＳＪＳ１０）。Ｍｂｓサービスフロー制御部３２は、基地局１４にサービスフローを共有する旨（BIND_MC_SF）を送信する（ステップＭＳＪＳ１１）。これにより、複数のサービスフローを束（BIND）として扱うことができる。
【００３４】
基地局１４は、端末１２ａにサービスフローの生成要求の旨（DSA-Req）を送信する。（ステップＭＳＪＳ１２）。基地局１４は、端末１２ａと基地局１４間でサービスフローが生成された後に、端末１２ａにサービスフローの生成が完了した旨（DSA-Rsp）を送信する（ステップＭＳＪＳ１３）。基地局１４は、端末１２ａにサービスフローの生成手順が完了した旨（DSA-Ack）を送信する。（ステップＭＳＪＳ１４）。
【００３５】
基地局１４は、Ｍｂｓサービスフロー制御部３２にサービスフローを生成した旨（BIND_MC_SF_NOTI）を送信する（ステップＭＳＪＳ１５）。Ｍｂｓサービスフロー制御部３２は、ＭｃｂｃｓＰｒｏｘｙ３０に端末１２ａに対するサービスフローが生成された旨（SFA_MBS_JOIN）を送信する（ステップＭＳＪＳ１６）。
【００３６】
ステップＭＳＪＳ６〜ＭＳＪＳ１６のマルチキャスト配信するためのサービスフローの設定処理が所定時間内に完了しなかった場合には、当該処理は中止され、再度、ステップＭＳＪＳ６のサービスフローの生成要求処理から処理が再開される。
【００３７】
端末１２ａにマルチキャスト配信するためのＡＳＮＧＷ１６内のルーティング設定が行われる。即ち、ＭｃｂｃｓＰｒｏｘｙ３０は、Ｐｆルータ２６との間でルーティングの設定を行う（ステップＭＳＪＳ１７）。
【００３８】
端末１２ａにマルチキャスト配信するためのマルチキャストルータ１８のルーティング設定に関する処理がされる。即ち、ＭｃｂｃｓＰｒｏｘｙ３０は、ＭｌｄＰｒｏｘｙ２８にMLD Reportの送信を要求する旨（MldProxySndRpt）を送信する（ステップＭＳＪＳ１８）。ＭｌｄＰｒｏｘｙ２８は、マルチキャストルータ１８にMLD Reportを送信する（ステップＭＳＪＳ１９）。また、ＭｌｄＰｒｏｘｙ２８は、ＭｃｂｃｓＰｒｏｘｙ３０にMLD Reportを送信した旨（MldProxySndRpt(Success)）を送信する（ステップＭＳＪＳ２０）。
【００３９】
端末１２ａにマルチキャスト配信するための情報登録処理がされる。即ち、ＭｃｂｃｓＰｒｏｘｙ３０は、Ｇｄｂ３４にマルチキャストの配信情報を登録する旨を送信する（ステップＭＳＪＳ２１）。また、Ｇｄｂ３４は、マルチキャスト情報を登録した後に、ＭｃｂｃｓＰｒｏｘｙ３０にマルチキャスト情報を登録した旨を送信する（ステップＭＳＪＳ２２）。登録されるマルチキャスト情報としては、端末１２ａのＭＡＣアドレス、グループアドレス、ソースアドレス等である。
【００４０】
以上の処理後、端末１２ａに対して、マルチキャストが配信される。なお、ステップＭＳＪＳ７、ＭＳＪＳ８は、マルチキャストの１台目の受信端末である端末１２ａに対してのみ行われ、端末１２ａ以外の端末である端末１２ｂが同一のサービスフローによりマルチキャストサービスを利用する場合には行われない。また、ステップＭＳＪＳ１７は、端末１２ａに関するルーティングが設定された後は行われない。さらに、ステップＭＳＪＳ１８〜ＭＳＪＳ２０も端末１２ａに対するサービスフローが生成された後は行われない。
【００４１】
＜ＩＰｖ６端末主導のＬｅａｖｅの動作＞
端末１２ａの主導によるＩＰｖ６マルチキャストサービスからの離脱手順（Ｌｅａｖｅ）を図３を用いて説明する。図３は、ＭＳ主導ＩＰｖ６マルチキャストの離脱手順の説明図である。
【００４２】
まず、端末１２ａのマルチキャストサービスからの離脱要求の通知処理がされる。即ち、端末１２ａが、基地局１４を介して、ＭＬＤプロトコルによりＭｌｄＰｒｏｘｙ２８にマルチキャストサービスからの離脱要求の旨（MLD Report）を送信する（ステップＭＳＬＳ１）。ＭｌｄＰｒｏｘｙ２８は、MLD Reportに基づいて、ＭｃｂｃｓＰｒｏｘｙ３０に端末１２ａの離脱要求の旨（MBS_LEAVE）を送信する（ステップＭＳＬＳ２）。このMBS_LEAVEを送信する際には、端末１２ａのＭＡＣアドレス、マルチキャストのグループアドレス、ソースアドレスの情報等も同時に送信される。
【００４３】
端末１２ａのマルチキャストサービスからの離脱要求の照合承認処理がされる。即ち、ＭｃｂｃｓＰｒｏｘｙ３０は、Ｒａｄｉｕｓサーバ２２を介して、Ｍｃｂｃｓサーバ２４に端末１２ａの離脱要求の旨（Access-Request）を送信する（ステップＭＳＬＳ３）。このAccess-Requestを送信する際には、端末１２ａのＭＡＣアドレス、マルチキャストのグループアドレス、ソースアドレス及び基地局１４のＩＰアドレス等も同時に送信される。Ｍｃｂｃｓサーバ２４は、前記の端末１２ａの離脱要求の旨を照合、承認して、Ｒａｄｉｕｓサーバ２２を介して、ＭｃｂｃｓＰｒｏｘｙ３０にマルチキャストサービスの離脱了承の旨（Access-Accept）を送信する（ステップＭＳＬＳ４）。
【００４４】
端末１２ａへのマルチキャスト配信を中止するためのＡＳＮＧＷ１６内のルーティング設定が行われる。即ち、ＭｃｂｃｓＰｒｏｘｙ３０は、Ｐｆルータ２６との間でルーティングの設定を行う（ステップＭＳＬＳ５）。
【００４５】
端末１２ａへのマルチキャスト配信を中止するためのマルチキャストルータ１８のルーティング設定に関する処理がされる。即ち、ＭｃｂｃｓＰｒｏｘｙ３０は、ＭｌｄＰｒｏｘｙ２８にMLD Reportの送信を要求する旨（MldProxySndDone）を送信する（ステップＭＳＬＳ６）。ＭｌｄＰｒｏｘｙ２８は、マルチキャストルータ１８にマルチキャストの配信中止を求める旨（MLDv2Done）を送信する（ステップＭＳＬＳ７）。また、ＭｌｄＰｒｏｘｙ２８は、ＭｃｂｃｓＰｒｏｘｙ３０にMLD Reportを送信した旨（MldProxySndRpt(Success)）を送信する（ステップＭＳＬＳ８）。
【００４６】
端末１２ａへのマルチキャスト配信を中止するためのサービスフローの設定処理がされる。即ち、ＭｃｂｃｓＰｒｏｘｙ３０は、Ｍｂｓサービスフロー制御部３２にサービスフローを削除する旨（SFA_MBS_LEAVE）旨を送信する（ステップＭＳＬＳ９）。Ｍｂｓサービスフロー制御部３２は、基地局１４にサービスフローの共用を解除する旨（UNBIND_MC_SF）を送信する（ステップＭＳＬＳ１０）。
【００４７】
基地局１４は、端末１２ａにサービスフローを削除する旨（DSD-Req）を送信する（ステップＭＳＬＳ１１）。端末１２ａは、基地局１４にサービスフローを削除した旨（DSD-Rsp）を送信する（ステップＭＳＬＳ１２）。
【００４８】
基地局１４は、サービスフローの共用を解除した後に、Ｍｂｓサービスフロー制御部３２にサービスフローの共用を解除した旨（UNBIND_MC_SF_NOTI）を送信する（ステップＭＳＬＳ１３）。Ｍｂｓサービスフロー制御部３２は、基地局１４にサービスフローを削除する旨（SF_DELETE）を送信する（ステップＭＳＬＳ１４）。基地局１４は、Ｍｂｓサービスフロー制御部３２にサービスフローを削除した旨（DSD_NOTI）を送信する（ステップＭＳＬＳ１５）。Ｍｂｓサービスフロー制御部３２は、ＭｃｂｃｓＰｒｏｘｙ３０に端末１２ａに対するサービスフローを削除した旨（SFA_MBS_LEAVE_OK）を送信する（ステップＭＳＪＳ１６）。
【００４９】
端末１２ａへのマルチキャスト配信を中止するための情報登録処理がされる。即ち、ＭｃｂｃｓＰｒｏｘｙ３０は、Ｇｄｂ３４にマルチキャストの配信情報を削除する旨を送信する（ステップＭＳＬＳ１７）。Ｇｄｂ３４は、ＭｃｂｃｓＰｒｏｘｙ３０にマルチキャストの配信情報を削除した後に、削除した旨を送信する（ステップＭＳＬＳ１８）。削除されるマルチキャスト情報としては、端末１２ａのＭＡＣアドレス、グループアドレス、ソースアドレス等である。
【００５０】
以上の処理により端末１２ａのマルチキャストから離脱が完了する。なお、ステップＭＳＬＳ５〜ＭＳＬＳ８、ＭＳＬＳ１４、ＭＳＬＳ１５は、端末１２ａがマルチキャストサービスから離脱する最後の１台の場合にのみ行われる。
【００５１】
＜ＩＰｖ６ＢＳ、ＡＳＮＧＷ主導のＪｏｉｎの動作＞
基地局１４、ＡＳＮＧＷ１６の主導によるＩＰｖ６マルチキャストサービスへの参加手順（Ｊｏｉｎ）を図４を用いて説明する。図４は、ＢＳ、ＡＳＮＧＷ主導ＩＰｖ６マルチキャストの参加手順の説明図である。
【００５２】
まず、初期設定として、Ｒａｄｉｕｓサーバ２２が、ＭｃｂｃｓＰｒｏｘｙ３０へ端末１２ａのマルチキャストの送受信サービスの利用可否についての情報（Access-Accept）を送信する（ステップＢＳＪＳ１）。
【００５３】
次に、ＡＳＮＧＷ１６による端末１２ａのマルチキャストサービスへの参加要求の通知処理がされる。即ち、Ｍｂｓサービスフロー制御部３２がＭｃｂｃｓＰｒｏｘｙ３０に端末１２ａのマルチキャストサービスへの参加処理をＡＳＮＧＷ１６の主導により行う旨（MBS_JOIN）を送信する（ステップＢＳＪＳ２）。なお、ステップＢＳＪＳ３は欠番である。
【００５４】
端末１２ａのマルチキャストサービスへの参加登録処理であるステップＢＳＪＳ４、ＢＳＪＳ５は、上述した端末主導の参加処理におけるステップＢＳＪＳ４、ＢＳＪＳ５と同様に処理される。
【００５５】
端末１２ａにマルチキャスト配信するためのサービスフローの設定処理であるステップＢＳＪＳ６〜ＢＳＪＳ１６は、上述したステップＭＳＪＳ６〜ＭＳＪＳ１６と同様に処理される。
【００５６】
端末１２ａにマルチキャスト配信するためのＡＳＮＧＷ１６内のルーティング設定であるステップＢＳＪＳ１７は、上述したステップＭＳＪＳ１７と同様に処理される。
【００５７】
端末１２ａへのマルチキャスト配信するためのマルチキャストルータ１８のルーティング設定に関する処理であるステップＢＳＪＳ１８〜ＢＳＪＳ２０は、上述したステップＭＳＪＳ１８〜ＭＳＪＳ２０と同様に処理される。
【００５８】
端末１２ａにマルチキャスト配信するための情報登録処理であるステップＢＳＪＳ２１、ＢＳＪＳ２は、上述したステップＭＳＪＳ２１、ＭＳＪＳ２２と同様に処理される。
【００５９】
ＭｃｂｃｓＰｒｏｘｙ３０がＭｂｓサービスフロー制御部３２に端末１２ａのマルチキャストサービスへの参加処理が完了した旨（MBS_JOIN_OK）が送信される（ステップＢＳＪＳ２３）。以上の処理後、端末１２ａに対して、マルチキャスト配信される。
【００６０】
＜ＩＰｖ６ＢＳ、ＡＳＮＧＷ主導のＬｅａｖｅの動作＞
基地局１４、ＡＳＮＧＷ１６の主導によるＩＰｖ６マルチキャストサービスからの離脱手順（Ｌｅａｖｅ）を図５を用いて説明する。図５は、ＢＳ、ＡＳＮＧＷ主導ＩＰｖ６マルチキャストの離脱手順の説明図である。
【００６１】
ＡＳＮＧＷ１６による端末１２ａのマルチキャストサービスからの離脱要求の通知処理がされる。即ち、Ｍｂｓサービスフロー制御部３２がＭｃｂｃｓＰｒｏｘｙ３０に端末１２ａのマルチキャストサービスからの離脱処理をＡＳＮＧＷ１６の主導により行う旨（MBS_LEAVE）を送信する（ステップＢＳＬＳ１）。なお、ステップＢＳＬＳ２は欠番である。
【００６２】
端末１２ａのマルチキャストサービスからの離脱登録処理であるステップＢＳＬＳ３、ＢＳＬＳ４は、上述した端末主導の離脱処理におけるステップＭＳＬＳ３、ＭＳＬＳ４と同様に処理される。
【００６３】
端末１２ａへのマルチキャスト配信を中止するためのルーティング設定であるステップＢＳＬＳ５は、上述したステップＭＳＬＳ５と同様に処理される。
【００６４】
端末１２ａへのマルチキャスト配信を中止するためのマルチキャストルータ１８のルーティング設定であるステップＢＳＬＳ６〜ＢＳＬＳ８は、上述したステップＭＳＬＳ６〜ＭＳＬＳ８と同様に処理される。
【００６５】
端末１２ａへのマルチキャスト配信を中止するためのサービスフローの設定処理であるステップＢＳＬＳ９〜ＢＳＬＳ１６は、上述したステップＭＳＬＳ９〜ＭＳＬＳ１６と同様に処理される。
【００６６】
端末１２ａへのマルチキャスト配信を中止するための情報登録処理であるステップＢＳＬＳ１７、ＢＳＬＳ１８は、上述したステップＭＳＬＳ１７、ＭＳＬＳ１８と同様に処理される。さらに、ＭｃｂｃｓＰｒｏｘｙ３０がＭｂｓサービスフロー制御部３２に端末１２ａのマルチキャストサービスからの離脱処理が完了した旨（MBS_LEAVE_OK）が送信される（ステップＢＳＬＳ１９）。
【００６７】
以上の処理によりＡＳＮＧＷ１６の主導による端末１２ａのマルチキャストサービスからの離脱が完了する。
【００６８】
＜ＩＰｖ６Ｍｃｂｃｓサーバ主導のＪｏｉｎの動作＞
Ｍｃｂｃｓサーバ２４の主導によるＩＰｖ６マルチキャストサービスへの参加手順（Ｊｏｉｎ）を図６を用いて説明する。図６は、ＭｃｂｃｓＳｖｒ主導ＩＰｖ６マルチキャストの参加手順の説明図である。
【００６９】
まず、Ｍｃｂｃｓサーバ２４による端末１２ａのマルチキャストサービスへの参加要求の通知処理がされる。即ち、Ｍｃｂｃｓサーバ２４は、Ｒａｄｉｕｓサーバ２２を介して、ＭｃｂｃｓＰｒｏｘｙ３０に端末１２ａをマルチキャストサービスに参加する旨（CoARequest）を送信する（ステップＭｃＪＳ１）。
【００７０】
端末１２ａにマルチキャスト配信するためのサービスフローの設定処理であるステップＭｃＪＳ６〜ＭｃＪＳ１６は、上述したステップＭＳＪＳ６〜ＭＳＪＳ１６と同様に処理される。なお、ステップＭｃＪＳ２〜ＭｃＪＳ５は欠番である。
【００７１】
端末１２ａにマルチキャスト配信するためのＡＳＮＧＷ１６内のルーティング設定であるステップＭｃＪＳ１７は、上述したステップＭＳＪＳ１７と同様に処理される。
【００７２】
端末１２ａにマルチキャスト配信するためのＰｆルータ２６のルーティング設定に関する処理であるステップＭｃＪＳ１８〜ＭｃＪＳ２０は、上述したステップＭＳＪＳ１８〜ＭＳＪＳ２０と同様に処理される。
【００７３】
ＭｌｄＰｒｏｘｙ２８による端末１２ａのマルチキャストサービスへの参加処理の通知がされる。即ち、ＭｌｄＰｒｏｘｙ２８は、Ｒａｄｉｕｓサーバ２２を介してＭｃｂｃｓサーバ２４に端末１２ａのマルチキャストサービスへの参加処理がされた旨（CoAAck）を送信する（ステップＭｃＪＳ２１）。
【００７４】
端末１２ａにマルチキャスト配信するための情報登録処理であるステップＭｃＪＳ２２、ＭｃＪＳ２３は、上述したステップＭＳＪＳ２１、ＭＳＪＳ２２と同様に処理される。
【００７５】
マルチキャストサービスへの参加処理が完了した旨の送信処理であるステップＭｃＪＳ２４は、上述したステップＭＢＪＳ２３と同様に処理される。
【００７６】
以上の処理後、端末１２ａに対して、マルチキャストが配信される。
【００７７】
＜ＩＰｖ６Ｍｃｂｃｓサーバ主導のＬｅａｖｅの動作＞
Ｍｃｂｃｓサーバ２４の主導によるＩＰｖ６マルチキャストサービスからの離脱手順（Ｌｅａｖｅ）を図７を用いて説明する。図７は、ＭｃｂｃｓＳｖｒ主導ＩＰｖ６マルチキャストの離脱手順の説明図である。
【００７８】
まず、Ｍｃｂｃｓサーバ２４による端末１２ａのマルチキャストサービスからの離脱要求の通知処理がされる。即ち、Ｍｃｂｃｓサーバ２４は、Ｒａｄｉｕｓサーバ２２を介して、ＭｃｂｃｓＰｒｏｘｙ３０に端末１２ａをマルチキャストサービスを離脱させる旨（CoARequest）を送信する（ステップＭｃＬＳ１）。
【００７９】
端末１２ａへのマルチキャスト配信を中止するためのルーティング設定であるステップＭｃＬＳ５は、上述したステップＭＳＪＬ５と同様に処理される。なお、ステップＭｃＬＳ２〜ＭｃＪＳ４は欠番である。
【００８０】
端末１２ａへのマルチキャスト配信を中止するためのマルチキャストルータ１８のルーティング設定であるステップＭｃＬＳ６〜ＭｃＬＳ８は、上述したステップＭＳＬＳ６〜ＭＳＬＳ８と同様に処理される。
【００８１】
端末１２ａへのマルチキャスト配信を中止するためのサービスフローの設定処理であるステップＭｃＬＳ９〜ＭｃＬＳ１６は、上述したステップＭＳＬＳ９〜ＭＳＬＳ１６と同様に処理される。
【００８２】
ＭｌｄＰｒｏｘｙ２８による端末１２ａのマルチキャストサービスへの参加処理の通知がされる。即ち、ＭｌｄＰｒｏｘｙ２８は、Ｒａｄｉｕｓサーバ２２を介してＭｃｂｃｓサーバ２４に端末１２ａのマルチキャストサービスからの離脱処理がされた旨（CoAAck）を送信する（ステップＭｃＬＳ１７）。
【００８３】
端末１２ａへのマルチキャスト配信を中止するための情報登録処理であるステップＭｃＬＳ１８、ＭｃＬＳ１９は、上述したステップＭＳＬＳ１７、ＭＳＬＳ１８と同様に処理される。
【００８４】
以上の処理によりＭｃｂｃｓサーバ２４の主導による端末１２ａのマルチキャストサービスからの離脱が完了する。
【００８５】
マルチキャスト通信方法におけるＩＰｖ６マルチキャストサービスへ端末が参加する方法では、マルチキャストサービスの対象となるコンテンツ毎にユニキャストに対応したサービスフローが生成される。端末１２のマルチキャストサービスへの参加をサービスフロー毎に処理するとともに、生成されたサービスフローを束（BIND）として扱うことにより、ＭＬＤプロトコルの下で擬似的にマルチキャストサービスの提供が可能となる。
【００８６】
また、マルチキャスト通信方法におけるＩＰｖ６マルチキャストサービスから端末が離脱する方法では、端末のマルチキャストサービスからの離脱をサービスフロー毎に処理するとともに、生成されたサービスフローを束（BIND）として扱うことにより、ＭＬＤプロトコルの下で擬似的にマルチキャストサービスの提供が可能となる。
【００８７】
＜第２実施形態＞
次に、本発明の第２実施形態について図面を参照して説明する。図８は、本発明のマルチキャスト通信方法が実施される第２実施形態に係るマルチキャスト通信システム４０の説明図である。
【００８８】
マルチキャスト通信システム４０は、第１実施形態に係るマルチキャスト通信システム１０において、ＭｌｄＰｒｏｘｙ２８の代わりにＩｇｍｐＰｒｏｘｙ４４を備えている。なお、図１に示したマルチキャスト通信システム１０と同一の構成要素には同一の符号を付し、その詳細な説明を省略する。マルチキャスト通信システム４０の動作について、図９〜図１４を用いて説明する。
【００８９】
＜ＩＰｖ４端末主導のＪｏｉｎの動作＞
端末１２ａの主導によるＩＰｖ４マルチキャストサービスへの参加手順（Ｊｏｉｎ）を図９を用いて説明する。図９は、ＭＳ主導ＩＰｖ４マルチキャストの参加手順の説明図である。
【００９０】
まず、初期設定として、Ｒａｄｉｕｓサーバ２２が、ＭｃｂｃｓＰｒｏｘｙ３０に端末１２ａのマルチキャストの送受信サービスの利用可否についての情報（Access-Accept）を送信する（ステップＭＳＪＳ３１）。
【００９１】
端末１２ａによるマルチキャストサービスへの参加要求の通知処理がされる。即ち、端末１２ａが、基地局１４を介して、ＩＧＭＰ（Internet Group Management Protocol）によりＩｇｍｐＰｒｏｘｙ４４にマルチキャストサービスへの参加要求の旨（IGMP Report）を送信する（ステップＭＳＪＳ３２）。ＩｇｍｐＰｒｏｘｙ４４は、IGMP Reportに基づいて、ＭｃｂｃｓＰｒｏｘｙ３０に端末１２ａの参加要求の旨（MBS_JOIN）を送信する（ステップＭＳＪＳ３３）。このMBS_JOINを送信する際には、端末１２ａのＭＡＣアドレス、マルチキャストのグループアドレス、ソースアドレスの情報等も同時に送信される。
【００９２】
端末１２ａのマルチキャストサービスへの参加登録処理がされる。即ち、ＭｃｂｃｓＰｒｏｘｙ３０は、Ｒａｄｉｕｓサーバ２２を介して、Ｍｃｂｃｓサーバ２４に端末１２ａの参加要求の旨（Access-Request）を送信する（ステップＭＳＪＳ３４）。Ｍｃｂｃｓサーバ２４では、端末１２ａのマルチキャストサービスへの参加登録処理がされる。このAccess-Requestを送信する際には、端末１２ａのＭＡＣアドレス、マルチキャストのグループアドレス、ソースアドレス及び基地局１４のＩＰアドレス等も同時に送信される。Ｍｃｂｃｓサーバ２４は、前記の端末１２ａの参加要求の旨を照合、承認して、Ｒａｄｉｕｓサーバ２２を介して、ＭｃｂｃｓＰｒｏｘｙ３０にＳＦＩＤを含めてマルチキャストサービスへの参加許可の旨（Access-Accept）を送信する（ステップＭＳＪＳ３５）。このマルチキャストサービスへの参加登録処理では、タイマーが設定され、所定時間内にこの処理が完了しななかった場合には、再度のステップＭＳＪＳ３４、ＭＳＪＳ３５の処理が行われる。
【００９３】
端末１２ａにマルチキャスト配信するためのサービスフローの設定処理がされる。即ち、ＭｃｂｃｓＰｒｏｘｙ３０は、Ｍｂｓサービスフロー制御部３２にサービスフローの生成要求の旨（MBSSFC_MBS_JOIN）を送信する（ステップＭＳＪＳ３６）。
【００９４】
Ｍｂｓサービスフロー制御部３２は、Ｐｄｂ２０にサービスフローを生成するためのＳＦプロファイルを要求する（ステップＭＳＪＳ３７）。Ｐｄｂ２０は、ＳＦＩＤに対応するＳＦプロファイル生成し、Ｍｂｓサービスフロー制御部３２に送信する（ステップＭＳＪＳ３８）。
【００９５】
Ｍｂｓサービスフロー制御部３２は、基地局１４にＳＦプロファイルに基づいてサービスフローを生成する旨（RR_REQ）を送信する（ステップＭＳＪＳ３９）。基地局１４は、Ｍｂｓサービスフロー制御部３２にサービスフローを追加する旨（DSA_NOTI）を送信する（ステップＭＳＪＳ４０）。Ｍｂｓサービスフロー制御部３２は、基地局１４にサービスフローを共有する旨（BIND_MC_SF）を送信する（ステップＭＳＪＳ４１）。
【００９６】
基地局１４は、端末１２ａにサービスフローの生成要求の旨（DSA-Req）を送信する。（ステップＭＳＪＳ４２）。基地局１４は、端末１２ａと基地局１４間でサービスフローが生成された後に、端末１２ａにサービスフローの生成が完了した旨（DSA-Rsp）を送信する（ステップＭＳＪＳ４３）。基地局１４は、端末１２ａにサービスフローの生成手順が完了した旨（DSA-Ack）を送信する。（ステップＭＳＪＳ４４）。
【００９７】
基地局１４は、Ｍｂｓサービスフロー制御部３２にサービスフローを生成した旨（BIND_MC_SF_NOTI）を送信する（ステップＭＳＪＳ４５）。Ｍｂｓサービスフロー制御部３２は、ＭｃｂｃｓＰｒｏｘｙ３０に端末１２ａに対するサービスフローが生成された旨（MBSSFC_MBS_JOIN_OK）を送信する（ステップＭＳＪＳ４６）。
【００９８】
ステップＭＳＪＳ３６〜ＭＳＪＳ４６のマルチキャスト配信するためのサービスフローの設定処理が所定時間内に完了しなかった場合には、当該処理は中止され、再度、ステップＭＳＪＳ３６のサービスフローの生成要求処理から処理が再開される。
【００９９】
端末１２ａにマルチキャスト配信するためのＡＳＮＧＷ１６内のルーティング設定が行われる。即ち、ＭｃｂｃｓＰｒｏｘｙ３０は、Ｐｆルータ２６との間でルーティングの設定を行う（ステップＭＳＪＳ４７）。
【０１００】
端末１２ａにマルチキャスト配信するためのマルチキャストルータ１８のルーティング設定に関する処理がされる。即ち、ＭｃｂｃｓＰｒｏｘｙ３０は、ＡＳＮＧＷ４２にIGMP Reportの送信を要求する旨（IgmpProxySndRpt）を送信する（ステップＭＳＪＳ４８）。ＩｇｍｐＰｒｏｘｙ４４は、マルチキャストルータ１８にIGMP Reportを送信する（ステップＭＳＪＳ４９）。また、ＩｇｍｐＰｒｏｘｙ４４は、ＭｃｂｃｓＰｒｏｘｙ３０にIGMP Reportを送信した旨（IgmpProxySndRpt(Success)）を送信する（ステップＭＳＪＳ５０）。
【０１０１】
端末１２ａにマルチキャスト配信するための情報登録処理がされる。即ち、ＭｃｂｃｓＰｒｏｘｙ３０は、Ｇｄｂ３４にマルチキャストの配信情報を登録する旨を送信する（ステップＭＳＪＳ５１）。また、Ｇｄｂ３４は、マルチキャスト情報を登録した後に、ＭｃｂｃｓＰｒｏｘｙ３０にマルチキャスト情報を登録した旨を送信する（ステップＭＳＪＳ５２）。登録されるマルチキャスト情報としては、端末１２ａのＭＡＣアドレス、グループアドレス、ソースアドレス等である。
【０１０２】
以上の処理後、端末１２ａに対して、マルチキャストが配信される。なお、ステップＭＳＪＳ３７、ＭＳＪＳ３８は、マルチキャストの１台目の受信端末である端末１２ａに対してのみ行われ、端末１２ａ以外の端末である端末１２ｂが同一のサービスフローによりマルチキャストサービスを利用する場合には行われない。また、ステップＭＳＪＳ４７は、端末１２ａに関するルーティングが設定された後は行われない。さらに、ステップＭＳＪＳ４８〜ＭＳＪＳ５０も端末１２ａに対するサービスフローが生成された後は行われない。
【０１０３】
＜ＩＰｖ４端末主導のＬｅａｖｅの動作＞
端末１２ａの主導によるＩＰｖ４マルチキャストサービスからの離脱手順（Ｌｅａｖｅ）を図１０を用いて説明する。図１０は、ＭＳ主導ＩＰｖ４マルチキャストの離脱手順の説明図である。
【０１０４】
まず、端末１２ａのマルチキャストサービスからの離脱要求の通知処理がされる。即ち、端末１２ａが、基地局１４を介して、ＩＧＭＰによりＭｌｄＰｒｏｘｙ２８にマルチキャストサービスからの離脱要求の旨（IGMP Report）を送信する（ステップＭＳＬＳ３１）。ＭｌｄＰｒｏｘｙ２８は、IGMP Reportに基づいて、ＭｃｂｃｓＰｒｏｘｙ３０に端末１２ａの離脱要求の旨（MBS_LEAVE）を送信する（ステップＭＳＬＳ３２）。このMBS_LEAVEを送信する際には、端末１２ａのＭＡＣアドレス、マルチキャストのグループアドレス、ソースアドレスの情報等も同時に送信される。
【０１０５】
端末１２ａのマルチキャストサービスからの離脱要求の照合承認処理がされる。即ち、ＭｃｂｃｓＰｒｏｘｙ３０は、Ｒａｄｉｕｓサーバ２２を介して、Ｍｃｂｃｓサーバ２４に端末１２ａの離脱要求の旨（Access-Request）を送信する（ステップＭＳＬＳ３３）。このAccess-Requestを送信する際には、端末１２ａのＭＡＣアドレス、マルチキャストのグループアドレス、ソースアドレス及び基地局１４のＩＰアドレス等も同時に送信される。Ｍｃｂｃｓサーバ２４は、前記の端末１２ａの離脱要求の旨を照合、承認して、Ｒａｄｉｕｓサーバ２２を介して、ＭｃｂｃｓＰｒｏｘｙ３０にマルチキャストサービスの離脱了承の旨（Access-Accept）を送信する（ステップＭＳＬＳ３４）。
【０１０６】
端末１２ａへのマルチキャスト配信を中止するためのＩＧＭＰに関する処理がされる。即ち、ＭｃｂｃｓＰｒｏｘｙ３０は、ＡＳＮＧＷ４２にIGMP Queryの送信を要求する旨（IgmpSndSpecificQry(srcgrp)）を送信する（ステップＭＳＬＳ３５）。ＡＳＮＧＷ４２は、基地局１４にIGMP Queryを送信する（ステップＭＳＬＳ３６）。また、ＡＳＮＧＷ４２は、ＭｃｂｃｓＰｒｏｘｙ３０にIGMP Queryを送信した旨（IgmpSndSpecificQry(srcgrp)）を送信する（ステップＭＳＬＳ３７）。
【０１０７】
端末１２ａへのマルチキャスト配信を中止するためのサービスフローの設定処理がされる。即ち、ＭｃｂｃｓＰｒｏｘｙ３０は、Ｍｂｓサービスフロー制御部３２にサービスフローを削除する旨（MBSSFC_MBS_LEAVE）旨を送信する（ステップＭＳＬＳ３８）。Ｍｂｓサービスフロー制御部３２は、基地局１４にサービスフローの共用を解除する旨（UNBIND_MC_SF）を送信する（ステップＭＳＬＳ３９）。
【０１０８】
基地局１４は、端末１２ａにサービスフローを削除する旨（DSD-Req）を送信する（ステップＭＳＬＳ４０）。端末１２ａは、基地局１４にサービスフローを削除した旨（DSD-Rsp）を送信する（ステップＭＳＬＳ４１）。
【０１０９】
基地局１４は、サービスフローの共用を解除した後に、Ｍｂｓサービスフロー制御部３２にサービスフローの共用を解除した旨（UNBIND_MC_SF_NOTI）を送信する（ステップＭＳＬＳ４２）。Ｍｂｓサービスフロー制御部３２は、基地局１４にサービスフローを削除する旨（SF_DELETE）を送信する（ステップＭＳＬＳ４３）。基地局１４は、Ｍｂｓサービスフロー制御部３２にサービスフローを削除した旨（DSD_NOTI）を送信する（ステップＭＳＬＳ４４）。Ｍｂｓサービスフロー制御部３２は、ＭｃｂｃｓＰｒｏｘｙ３０に端末１２ａに対するサービスフローを削除した旨（MBSSFC_MBS_LEAVE_OK）を送信する（ステップＭＳＪＳ４５）。
【０１１０】
端末１２ａへのマルチキャスト配信を中止するための情報登録処理がされる。即ち、ＭｃｂｃｓＰｒｏｘｙ３０は、Ｇｄｂ３４にマルチキャストの配信情報を削除する旨を送信する（ステップＭＳＬＳ４６）。Ｇｄｂ３４は、ＭｃｂｃｓＰｒｏｘｙ３０にマルチキャストの配信情報を削除した後に、削除した旨を送信する（ステップＭＳＬＳ４７）。削除されるマルチキャスト情報としては、端末１２ａのＭＡＣアドレス、グループアドレス、ソースアドレス等である。また、ＭｃｂｃｓＰｒｏｘｙ３０がＭｂｓサービスフロー制御部３２に端末１２ａのマルチキャストサービスからの離脱処理が完了した旨（MBS_LEAVE_OK）が送信される（ステップＢＳＬＳ４８）。
【０１１１】
端末１２ａにマルチキャスト配信を中止するためのＡＳＮＧＷ１６内のルーティング設定が行われる。即ち、ＭｃｂｃｓＰｒｏｘｙ３０は、Ｐｆルータ２６との間でルーティングの設定を行う（ステップＭＳＬＳ４９）。
【０１１２】
端末１２ａにマルチキャスト配信を中止するためのマルチキャストルータ１８のルーティング設定に関する処理がされる。即ち、ＭｃｂｃｓＰｒｏｘｙ３０は、ＩｇｍｐＰｒｏｘｙ４４にIGMP Reportの送信を要求する旨（IgmpProxySndDone）を送信する（ステップＭＳＬＳ５０）。ＩｇｍｐＰｒｏｘｙ４４は、マルチキャストルータ１８にマルチキャストの配信中止を求める旨（IGMPv1/v2GroupLeavev3Report）を送信する（ステップＭＳＬＳ５１）。また、ＩｇｍｐＰｒｏｘｙ４４は、ＭｃｂｃｓＰｒｏｘｙ３０にIGMP Reportを送信した旨（IgmpProxySndDone(Success)）を送信する（ステップＭＳＬＳ５２）。
【０１１３】
以上の処理により端末１２ａのマルチキャストからの離脱が完了する。なお、ステップＭＳＬＳ３５〜ＭＳＬＳ３７、ＭＳＬＳ４３、ＭＳＬＳ４４は、端末１２ａがマルチキャストサービスから離脱する最後の１台の場合にのみ行われる。また、端末１２ａ以外の他の端末、例えば端末１２ｂが同一のマルチキャストサービスを受けている場合には，IGMP QuerryがＩｇｍｐＰｒｏｘｙ４４から端末１２ｂに送信される。端末１２ｂは、IGMP Querryを受信し、応答としてIGMP ReportをＩｇｍｐＰｒｏｘｙ４４を介してＭｃｂｃｓＰｒｏｘｙ３０に送信する。しかしながら、端末１２ａ以外に端末が存在しない場合には、ＩｇｍｐＰｒｏｘｙ４４から送信されたIGMP Querryに対する応答として、ＩｇｍｐＰｒｏｘｙ４４に送信されるべきIGMP Reportが送信されない。従って、ＩｇｍｐＰｒｏｘｙ４４は、IGMP Querryを送信後所定時間以上IGMP Reportを受信しない場合には、ＭｃｂｃｓＰｒｏｘｙ３０に対して、IGMP Reportに対する応答が無い旨（MBS_NO_GRP_MEMBER_NOTI）を送信する（ステップＭＳＬＳ５３）。その後は、上述したＭＳＬＳ４９〜ＭＳＬＳ５３により処理される。
【０１１４】
＜ＩＰｖ４ＢＳ、ＡＳＮＧＷ主導のＪｏｉｎの動作＞
基地局１４、ＡＳＮＧＷ１６の主導によるＩＰｖ４マルチキャストサービスへの参加手順（Ｊｏｉｎ）を図１１を用いて説明する。図１１は、ＢＳ、ＡＳＮＧＷ主導ＩＰｖ６マルチキャストの参加手順の説明図である。
【０１１５】
まず、初期設定として、Ｒａｄｉｕｓサーバ２２が、ＭｃｂｃｓＰｒｏｘｙ３０へ端末１２ａのマルチキャストの送受信サービスの利用可否についての情報（Access-Accept）を送信する（ステップＢＳＪＳ３１）。
【０１１６】
次に、ＡＳＮＧＷ１６による端末１２ａのマルチキャストサービスへの参加要求の通知処理がされる。即ち、Ｍｂｓサービスフロー制御部３２がＭｃｂｃｓＰｒｏｘｙ３０に端末１２ａのマルチキャストサービスへの参加処理をＡＳＮＧＷ１６の主導により行う旨（MBS_JOIN）を送信する（ステップＢＳＪＳ３２）。なお、ステップＢＳＪＳ３３は欠番である。
【０１１７】
端末１２ａのマルチキャストサービスへの参加登録処理であるステップＢＳＪＳ３４、ＢＳＪＳ３５は、上述した端末主導の参加処理におけるステップＭＳＪＳ３４、ＭＳＪＳ３５と同様に処理される。
【０１１８】
マルチキャスト配信するためのサービスフローの設定処理であるステップＢＳＪＳ３６〜ＢＳＪＳ４６は、上述したステップＭＳＪＳ３６〜ＭＳＪＳ４６と同様に処理される。
【０１１９】
端末１２ａにマルチキャスト配信するためのＡＳＮＧＷ１６内のルーティング設定であるステップＢＳＪＳ４７は、上述したステップＭＳＪＳ４７と同様に処理される。
【０１２０】
端末１２ａにマルチキャスト配信するためのマルチキャストルータ１８のルーティング設定に関する処理であるステップＢＳＪＳ４８〜ＢＳＪＳ５０は、上述したステップＭＳＪＳ４８〜ＭＳＪＳ５０と同様に処理される。
【０１２１】
端末１２ａにマルチキャスト配信するための情報登録処理であるステップＢＳＪＳ５１、ＢＳＪ５２は、上述したステップＭＳＪＳ５１、ＭＳＪＳ５２と同様に処理される。
【０１２２】
ＭｃｂｃｓＰｒｏｘｙ３０がＭｂｓサービスフロー制御部３２に端末１２ａのマルチキャストサービスへの参加処理が完了した旨（MBS_JOIN_OK）が送信される（ステップＢＳＪＳ５３）。以上の処理後、端末１２ａに対して、マルチキャスト配信される。
【０１２３】
＜ＩＰｖ４ＢＳ、ＡＳＮＧＷ主導のＬｅａｖｅの動作＞
基地局１４、ＡＳＮＧＷ１６の主導によるＩＰｖ４マルチキャストサービスからの離脱手順（Ｌｅａｖｅ）を図１２を用いて説明する。図１２は、ＢＳ、ＡＳＮＧＷ主導ＩＰｖ４マルチキャストの離脱手順の説明図である。
【０１２４】
ＡＳＮＧＷ１６による端末１２ａのマルチキャストサービスからの離脱要求の通知処理がされる。即ち、Ｍｂｓサービスフロー制御部３２がＭｃｂｃｓＰｒｏｘｙ３０に端末１２ａのマルチキャストサービスからの離脱処理をＡＳＮＧＷ１６の主導により行う旨（MBS_LEAVE）を送信する（ステップＢＳＬＳ３１）。なお、ステップＢＳＬＳ３２は欠番である。
【０１２５】
端末１２ａのマルチキャストサービスからの離脱要求の照合承認処理であるステップＢＳＬＳ３３、ＢＳＬＳ３４は、上述した端末主導の離脱処理におけるステップＭＳＬＳ３３、ＭＳＬＳ３４と同様に処理される。
【０１２６】
端末１２ａへのマルチキャスト配信を中止するためのＩＧＭＰに関する処理であるステップＢＳＬＳ３５〜ＢＳＬＳ３７は、上述した端末主導の離脱処理におけるステップＭＳＬＳ３５〜ＢＳＬＳ３７と同様に処理される。
【０１２７】
端末１２ａへのマルチキャスト配信を中止するためのサービスフローの設定処理であるステップＢＳＬＳ３８〜ＢＳＬＳ４５は、上述した端末主導の離脱処理におけるステップＭＳＬＳ３８〜ＭＳＬＳ４５と同様に処理される。
【０１２８】
端末１２ａへのマルチキャスト配信を中止するための情報登録処理であるステップＢＳＬＳ４６〜ＢＳＬＳ５３は、上述したステップＭＳＬＳ４６〜ＭＳＬＳ５３と同様に処理される。
【０１２９】
以上の処理により基地局１４、ＡＳＮＧＷ４２の主導による端末１２ａのマルチキャストサービスからの離脱が完了する。
【０１３０】
＜ＩＰｖ４Ｍｃｂｃｓサーバ主導のＪｏｉｎの動作＞
Ｍｃｂｃｓサーバ２４の主導によるＩＰｖ４マルチキャストサービスへの参加手順（Ｊｏｉｎ）を図１３を用いて説明する。図１３は、ＭｃｂｃｓＳｖｒ主導ＩＰｖ４マルチキャストの参加手順の説明図である。
【０１３１】
まず、Ｍｃｂｃｓサーバ２４による端末１２ａのマルチキャストサービスへの参加要求の通知処理がされる。即ち、Ｍｃｂｃｓサーバ２４は、Ｒａｄｉｕｓサーバ２２を介して、ＭｃｂｃｓＰｒｏｘｙ３０に端末１２ａをマルチキャストサービスに参加する旨（CoARequest）を送信する（ステップＭｃＪＳ３１）。
【０１３２】
端末１２ａにマルチキャスト配信するためのサービスフローの設定処理であるステップＭｃＪＳ３６〜ＭｃＪＳ４６は、上述したステップＭＳＪＳ３６〜ＭＳＪＳ４６と同様に処理される。なお、ステップＭｃＪＳ３２〜ＭｃＪＳ５は欠番である。
【０１３３】
端末１２ａにマルチキャスト配信するためのＡＳＮＧＷ１６内のルーティング設定であるステップＭｃＪＳ４７は、上述したステップＭＳＪＳ４７と同様に処理される。
【０１３４】
端末１２ａにマルチキャスト配信するためのＰｆルータ２６のルーティング設定に関する処理であるステップＭｃＪＳ４８〜ＭｃＪＳ５０は、上述したステップＭＳＪＳ４８〜ＭＳＪＳ５０と同様に処理される。
【０１３５】
ＭｌｄＰｒｏｘｙ２８による端末１２ａのマルチキャストサービスへの参加処理の通知がされる。即ち、ＭｌｄＰｒｏｘｙ２８は、Ｒａｄｉｕｓサーバ２２を介してＭｃｂｃｓサーバ２４に端末１２ａのマルチキャストサービスへの参加処理がされた旨（CoAAck）を送信する（ステップＭｃＪＳ５１）。
【０１３６】
端末１２ａにマルチキャスト配信するための情報登録処理であるステップＭｃＪＳ５２、ＭｃＪＳ５３は、上述したステップＭＳＪＳ５１、ＭＳＪＳ５２と同様に処理される。
【０１３７】
ＭｃｂｃｓＰｒｏｘｙ３０がＭｂｓサービスフロー制御部３２に端末１２ａのマルチキャストサービスへの参加処理が完了した旨（MBS_JOIN_OK）が送信される（ステップＭｃＪＳ５４）。以上の処理後、端末１２ａに対して、マルチキャストが配信される。
【０１３８】
＜ＩＰｖ４Ｍｃｂｃｓサーバ主導のＬｅａｖｅの動作＞
Ｍｃｂｃｓサーバ２４の主導によるＩＰｖ４マルチキャストサービスからの離脱手順（Ｌｅａｖｅ）を図１４を用いて説明する。図１４は、ＭｃｂｃｓＳｖｒ主導ＩＰｖ４マルチキャストの離脱手順の説明図である。
【０１３９】
まず、Ｍｃｂｃｓサーバ２４による端末１２ａのマルチキャストサービスからの離脱要求の通知処理がされる。即ち、Ｍｃｂｃｓサーバ２４は、Ｒａｄｉｕｓサーバ２２を介して、ＭｃｂｃｓＰｒｏｘｙ３０に端末１２ａをマルチキャストサービスを離脱させる旨（CoARequest）を送信する（ステップＭｃＬＳ３１）。
【０１４０】
端末１２ａへのマルチキャスト配信を中止するためのＩＧＭＰに関する処理であるステップＭｃＬＳ３５〜ＢＳＬＳ３７は、上述した端末主導の離脱処理におけるステップＭＳＬＳ３５〜ＢＳＬＳ３７と同様に処理される。なお、ステップＭｃＬＳ３２〜ＭｃＬＳ３４は欠番である。
【０１４１】
端末１２ａへのマルチキャスト配信を中止するためのサービスフローの設定処理であるステップＭｃＬＳ３８〜ＭｃＬＳ４５は、上述したステップＭＳＬＳ３８〜ＭＳＬＳ４５と同様に処理される。
【０１４２】
ＭｌｄＰｒｏｘｙ２８による端末１２ａのマルチキャストサービスへの参加処理の通知がされる。即ち、ＭｌｄＰｒｏｘｙ２８は、Ｒａｄｉｕｓサーバ２２を介してＭｃｂｃｓサーバ２４に端末１２ａのマルチキャストサービスからの離脱処理がされた旨（CoAAck）を送信する（ステップＭｃＬＳ４６）。
【０１４３】
端末１２ａへのマルチキャスト配信を中止するための情報登録処理であるステップＭｃＬＳ４７〜ＭｃＬＳ５４は、上述したステップＭＳＬＳ４６〜ＭＳＬＳ５３と同様に処理される。
【０１４４】
以上の処理によりＭｃｂｃｓサーバ２４の主導による端末１２ａのマルチキャストサービスからの離脱が完了する。
【０１４５】
マルチキャスト通信方法におけるＩＰｖ４マルチキャストサービスへ端末が参加する方法では、マルチキャストサービスの対象となるコンテンツ毎にユニキャストに対応したサービスフローが生成される。端末のマルチキャストサービスへの参加をサービスフロー毎に処理するとともに、生成されたサービスフローを束（BIND）として扱うことにより、ＩＧＭＰの下で擬似的にマルチキャストサービスの提供が可能となる。
【０１４６】
また、マルチキャスト通信方法におけるＩＰｖ４マルチキャストサービスから端末が離脱する方法では、端末のマルチキャストサービスからの離脱をサービスフロー毎に処理するとともに、生成されたサービスフローを束（BIND）として扱うことにより、ＩＧＭＰの下で擬似的にマルチキャストサービスの提供が可能となる。
【０１４７】
＜ＩＧＭＰバージョンが異なる場合の処理手順＞
次に、利用できるＩＧＭＰバージョンが異なる端末の参加、離脱の処理について、図１５を用いて説明する。図１５は、ＩＧＭＰバージョンが異なる場合の処理手順の説明図である。
【０１４８】
端末１２ｃがマルチキャストグループアドレスおよびマルチキャストソースアドレスを指定可能なＩＧＭＰｖ３を利用することができる端末であり、端末１２ｄがマルチキャストグループアドレスのみ指定可能なＩＧＭＰｖ２を利用することができる端末、すなわち、ＩＧＭＰｖ１又はＩＧＭＰｖ２を利用することができる端末である場合の参加、離脱処理について説明する。
【０１４９】
まず、ＩｇｍｐＰｒｏｘｙ４４が、基地局１４を介して、ＩＧＭＰｖ３対応の端末１２ｃにマルチキャストサービスを希望する端末の有無を確認するためのIGMPv3 Queryを端末１２ｃに対して送信する（ステップＳ１）。端末１２ｃは、IGMPv3 Queryを受信し、基地局１４、ＩｇｍｐＰｒｏｘｙ４４を介して、マルチキャストグループアドレスおよびマルチキャストソースアドレスが指定されたIGMPv3 ReportをＭｃｂｃｓＰｒｏｘｙ３０に送信する（ステップＳ２）。また，ステップ１が欠番し，ステップ２から開始する場合もある。このIGMPv3 Reportに基づいて、端末１２ｃのマルチキャストグループアドレス及びマルチキャストソースアドレスを指定するマルチキャストサービスへの参加処理がされる（ステップＳ３）。また、ＭｃｂｃｓＰｒｏｘｙ３０の指示によりタイマ４６によって所定時間Ｔ１に設定されて始動する（ステップＳ４）。
【０１５０】
ＩＧＭＰｖ１又はＩＧＭＰｖ２に対応する端末１２ｄが基地局１４、ＩｇｍｐＰｒｏｘｙ４４を介して、ＩＧＭＰｖ１又はＩＧＭＰｖ２に対応するマルチキャストグループアドレスのみが指定されたIGMP ReportをＭｃｂｃｓＰｒｏｘｙ３０に送信する（ステップＳ５）。このIGMP Reportに基づいて、端末１２ｄのマルチキャストグループアドレスのみを指定するマルチキャストサービスへの参加処理がされる（ステップＳ６）。また、ＭｃｂｃｓＰｒｏｘｙ３０の指示によりタイマ４６によって所定時間Ｔ２に設定されて始動する（ステップＳ７）。
【０１５１】
ＩｇｍｐＰｒｏｘｙ４４は、ＩＧＭＰｖ１又はＩＧＭＰｖ２までに対応する端末１２ｄがマルチキャストサービスに参加したことを確認すると、それ以降、IGMPv3 Queryに代えて、ＩＧＭＰｖ１又はＩＧＭＰｖ２に対応するIGMP Queryを基地局１４を介して、端末１２ｃ、端末１２ｄに対して送信する（ステップＳ８）。端末１２ｃは、IGMP Queryを受信し、基地局１４、ＩｇｍｐＰｒｏｘｙ４４を介して、マルチキャストグループアドレスのみが指定されたIGMP ReportをＭｃｂｃｓＰｒｏｘｙ３０に送信する（ステップＳ９）。
【０１５２】
ＭｃｂｃｓＰｒｏｘｙ３０は、所定時間Ｔ１内に前記IGMP Reportを受信するため、端末１２ｃはＩＧＭＰｖ１又はＩＧＭＰｖ２でマルチキャストソースアドレスを指定せずに同じマルチキャストグループアドレスのみを指定するマルチキャストサービスに新たに参加（ＪＯＩＮ）したと処理される（ステップＳ１０）。マルチキャストソースアドレスを指定しないということは、あらゆるマルチキャストソースアドレスを包含するということを意味する。この処理により、ＩＧＭＰｖ３対応の端末１２ｃがマルチキャストサービスに参加している状態で、ＩＧＭＰｖ３未対応の端末１２ｄがマルチキャストサービスに参加した場合であっても、端末１２ｃへの同じマルチキャストサービスの配信を中断することなく継続できる。これにより、ＩＧＭＰｖ３対応、ＩＧＭＰｖ３未対応の端末が混在する場合であっても、マルチキャスト配信を安定継続して行えることができる。
【０１５３】
なお、ＭｃｂｃｓＰｒｏｘｙ３０は、所定時間Ｔ１内に前記端末１２ｃのマルチキャストグループアドレス及びマルチキャストソースアドレスが指定されたマルチキャストサービスの継続を通知するIGMPv3 Reportを受信することはなくなり、基地局１４、ＡＳＮＧＷ１６主導でこのマルチキャストグループアドレスおよびマルチキャストソースアドレスが指定されたマルチキャストサービスの離脱処理（ＬＥＡＶＥ）がされる（ステップＳ１１）。この処理が行われても、前記ステップＳ１０において同じマルチキャストグループアドレスのみを指定した同じマルチキャストサービスへの参加を事前に行っているため、配信が停止されることはない。
【０１５４】
なお、本発明は、上述の実施形態に限らず、本発明の要旨を逸脱することなく、種々の構成を採り得ることはもちろんである。
【符号の説明】
【０１５５】
１０…マルチキャスト通信システム
１２…端末
１４…基地局
１６…ＡＳＮＧＷ
１８…マルチキャストルータ
２０…Ｐｄｂ
２２…Ｒａｄｉｕｓサーバ
２４…Ｍｃｂｃｓサーバ
２６…Ｐｆルータ
２８…ＭｌｄＰｒｏｘｙ
３０…ＭｃｂｃｓＰｒｏｘｙ
３２…Ｍｂｓサービスフロー制御部（ＳＦＡ）
３４…Ｇｄｂ
３６…ネットワーク
４０…マルチキャスト通信システム
４２…ＡＳＮＧＷ
４４…ＩｇｍｐＰｒｏｘｙ
４６…タイマ
【図１】
2014158171.tif 000003
【図２】
2014158171.tif 000004
【図３】
2014158171.tif 000005
【図４】
2014158171.tif 000006
【図５】
2014158171.tif 000007
【図６】
2014158171.tif 000008
【図７】
2014158171.tif 000009
【図８】
2014158171.tif 000010
【図９】
2014158171.tif 000011
【図１０】
2014158171.tif 000012
【図１１】
2014158171.tif 000013
【図１２】
2014158171.tif 000014
【図１３】
2014158171.tif 000015
【図１４】
2014158171.tif 000016
【図１５】
2014158171.tif 000017